(57)【要約】【課題】  設計の容易化及び設計の自由度の向上等を図る。【解決手段】  光学系の光路となる光透過孔１３ａが形成されたベース部９を有する筐体７と、遮蔽部１９ａと取付部２０ａとを有し閉塞位置と開放位置との間で回動される駆動体１８と、両端部がそれぞれ第１の電極１６、１６に固定され中間部が駆動体の取付部に取り付けられると共に通電されることにより収縮され駆動体を第１の方向へ回動させるワイヤー状の第１の形状記憶合金部材３０と、両端部がそれぞれ第２の電極１７、１７に固定され中間部が駆動体の取付部に取り付けられると共に通電されることにより収縮され駆動体を上記第１の方向と反対の第２の方向へ回動させるワイヤー状の第２の形状記憶合金部材３１と、駆動体を開放位置又は閉塞位置の少なくとも一方の位置にロックするロック手段３２、３３（２７）とを設けた。【選択図】        図４
2005062605.tif 000002
【特許請求の範囲】
【請求項１】
光学系の光路を開閉する光路開閉装置であって、
光学系の光路となる光透過孔が形成されたベース部を有する筐体と、
遮蔽部と取付部とを有すると共に筐体のベース部に回動自在に支持され光透過孔を遮蔽部によって閉塞する閉塞位置と光透過孔を開放する開放位置との間で回動される駆動体と、
ベース部に固定された一対の第１の電極と、
ベース部に固定された一対の第２の電極と、
両端部がそれぞれ一対の各第１の電極に固定され中間部が駆動体の取付部に取り付けられると共に第１の電極を介して通電されることにより収縮され駆動体を第１の方向へ回動させるワイヤー状の第１の形状記憶合金部材と、
両端部がそれぞれ一対の各第２の電極に固定され中間部が駆動体の取付部に取り付けられると共に第２の電極を介して通電されることにより収縮され駆動体を上記第１の方向と反対の第２の方向へ回動させるワイヤー状の第２の形状記憶合金部材と、
駆動体を上記開放位置又は閉塞位置の少なくとも一方の位置にロックするロック手段とを備えた
ことを特徴とする光路開閉装置。
【請求項２】
上記ロック手段としてベース部に配置した第１のマグネットと駆動体に配置した第２のマグネットを設けた
ことを特徴とする請求項１に記載の光路開閉装置。
【請求項３】
上記第１の形状記憶合金部材と第２の形状記憶合金部材をベース部の外周縁に沿って配置した
ことを特徴とする請求項１に記載の光路開閉装置。
【請求項４】
光学系の光路を開閉する光路開閉装置を備えた電子機器であって、
上記光路開閉装置は、
光学系の光路となる光透過孔が形成されたベース部を有する筐体と、
遮蔽部と取付部とを有すると共に筐体のベース部に回動自在に支持され光透過孔を遮蔽部によって閉塞する閉塞位置と光透過孔を開放する開放位置との間で回動される駆動体と、
ベース部に固定された一対の第１の電極と、
ベース部に固定された一対の第２の電極と、
両端部がそれぞれ一対の各第１の電極に固定され中間部が駆動体の取付部に取り付けられると共に第１の電極を介して通電されることにより収縮され駆動体を第１の方向へ回動させるワイヤー状の第１の形状記憶合金部材と、
両端部がそれぞれ一対の各第２の電極に固定され中間部が駆動体の取付部に取り付けられると共に第２の電極を介して通電されることにより収縮され駆動体を上記第１の方向と反対の第２の方向へ回動させるワイヤー状の第２の形状記憶合金部材と、
駆動体を上記開放位置又は閉塞位置の少なくとも一方の位置にロックするロック手段とを備えた
ことを特徴とする光路開閉装置を備えた電子機器。
【請求項５】
上記ロック手段としてベース部に配置した第１のマグネットと駆動体に配置した第２のマグネットを設けた
ことを特徴とする請求項４に記載の光路開閉装置を備えた電子機器。
【請求項６】
上記第１の形状記憶合金部材と第２の形状記憶合金部材をベース部の外周縁に沿って配置した
ことを特徴とする請求項４に記載の光路開閉装置を備えた電子機器。
【発明の詳細な説明】
【技術分野】
【０００１】
本発明は光路開閉装置及びこれを備えた電子機器についての技術分野に関する。詳しくは、２つのワイヤー状の形状記憶合金部材を用いて設計の容易化及び設計の自由度の向上等を図る技術分野に関する。
【背景技術】
【０００２】
光学系の光路を有する光路開閉装置を備えた電子機器としては、例えば、スチルカメラ、ビデオカメラ、携帯電話等がある。このような電子機器の光路開閉装置として、本出願人による特願２００３−１２４９５１号に記載したものがある。
【発明の開示】
【発明が解決しようとする課題】
【０００３】
ところが、上記した本出願人による光路開閉装置にあっては、付勢バネ（捩じりコイルバネ）とワイヤー状の形状記憶合金部材とを設け、該形状記憶合金部材に通電することにより付勢バネの付勢力に抗して駆動体を閉塞位置又は開放位置に移動させるようにしており、駆動体が閉塞位置にあるときと開放位置にあるときで、付勢バネのバネ力が大きく異なってしまう。
【０００４】
従って、開放位置及び閉塞位置における付勢バネと形状記憶合金部材の釣り合いを保持するための設計が困難であると共に設計の自由度も少ないとう問題があった。
【０００５】
また、付勢バネとワイヤー状の形状記憶合金部材とによって光路の開閉を行うようにしているため、環境の変化、例えば、高温環境においては、形状記憶合金部材が収縮してしまい誤動作を生じるおそれがあった。
【０００６】
そこで、本発明光路開閉装置及びこれを備えた電子機器は、上記した問題点を克服し、設計の容易化及び設計の自由度の向上等を図ることを課題とする。
【課題を解決するための手段】
【０００７】
本発明光路開閉装置及び電子機器は、上記した課題を解決するために、光学系の光路となる光透過孔が形成されたベース部を有する筐体と、遮蔽部と取付部とを有すると共に筐体のベース部に回動自在に支持され光透過孔を遮蔽部によって閉塞する閉塞位置と光透過孔を開放する開放位置との間で回動される駆動体と、ベース部に固定された一対の第１の電極と、ベース部に固定された一対の第２の電極と、両端部がそれぞれ一対の各第１の電極に固定され中間部が駆動体の取付部に取り付けられると共に第１の電極を介して通電されることにより収縮され駆動体を第１の方向へ回動させるワイヤー状の第１の形状記憶合金部材と、両端部がそれぞれ一対の各第２の電極に固定され中間部が駆動体の取付部に取り付けられると共に第２の電極を介して通電されることにより収縮され駆動体を上記第１の方向と反対の第２の方向へ回動させるワイヤー状の第２の形状記憶合金部材と、駆動体を上記開放位置又は閉塞位置の少なくとも一方の位置にロックするロック手段とを設けたものである。
【０００８】
従って、本発明光路開閉装置及び電子機器にあっては、閉塞位置及び開放位置において形状記憶合金部材の一定の収縮力が保持される。
【発明の効果】
【０００９】
本発明光路開閉装置は、光学系の光路を開閉する光路開閉装置であって、光学系の光路となる光透過孔が形成されたベース部を有する筐体と、遮蔽部と取付部とを有すると共に筐体のベース部に回動自在に支持され光透過孔を遮蔽部によって閉塞する閉塞位置と光透過孔を開放する開放位置との間で回動される駆動体と、ベース部に固定された一対の第１の電極と、ベース部に固定された一対の第２の電極と、両端部がそれぞれ一対の各第１の電極に固定され中間部が駆動体の取付部に取り付けられると共に第１の電極を介して通電されることにより収縮され駆動体を第１の方向へ回動させるワイヤー状の第１の形状記憶合金部材と、両端部がそれぞれ一対の各第２の電極に固定され中間部が駆動体の取付部に取り付けられると共に第２の電極を介して通電されることにより収縮され駆動体を上記第１の方向と反対の第２の方向へ回動させるワイヤー状の第２の形状記憶合金部材と、駆動体を上記開放位置又は閉塞位置の少なくとも一方の位置にロックするロック手段とを備えたことを特徴とする。
【００１０】
従って、付勢バネを用いてワイヤー状の形状記憶合金部材との釣り合いを保持するようにした場合のように、閉塞位置にあるときと開放位置にあるときでのバネ力の大きな相違が生じることがなく、開放位置及び閉塞位置における釣り合いを保持するための設計が容易であると共に設計の自由度の向上を図ることができる。
【００１１】
また、環境の変化、例えば、温度の変化が生じたときでも、第１の形状記憶合金部材及び第２の形状記憶合金部材が同じ率で伸縮されるため、駆動体の誤動作による回動を防止することができる。
【００１２】
さらに、ワイヤー状の第１の形状記憶合金部材及び第２の形状記憶合金部材を用いているため、例えば、コイルバネ状に形成した形状記憶合金部材を用いた場合に比し、伸縮のスピードが速く、動作の迅速性の向上を図ることができる。
【００１３】
請求項２に記載した発明にあっては、上記ロック手段としてベース部に配置した第１のマグネットと駆動体に配置した第２のマグネットを設けたので、開放位置又は閉塞位置におけるロックを確実に行うことができる。
【００１４】
請求項３に記載した発明にあっては、上記第１の形状記憶合金部材と第２の形状記憶合金部材をベース部の外周縁に沿って配置したので、第１の形状記憶合金部材及び第２の形状記憶合金部材の長さを長くすることが可能であり、第１の形状記憶合金部材及び第２の形状記憶合金部材に通電したときの収縮量を大きくすることができ、駆動体の動作範囲が大きくなり、設計の自由度の向上及び動作の信頼性の向上を図ることができる。
【００１５】
また、第１の形状記憶合金部材及び第２の形状記憶合金部材の内側に光路開閉装置の各機構を配置することができ、この各機構と第１の形状記憶合金部材及び第２の形状記憶合金部材との干渉が回避されると共に第１の形状記憶合金部材及び第２の形状記憶合金部材を配置するためのスペースの有効活用が図られ、光路開閉装置の小型化及び薄型化を図ることができる。
【００１６】
本発明電子機器は、光学系の光路を開閉する光路開閉装置を備えた電子機器であって、上記光路開閉装置は、光学系の光路となる光透過孔が形成されたベース部を有する筐体と、遮蔽部と取付部とを有すると共に筐体のベース部に回動自在に支持され光透過孔を遮蔽部によって閉塞する閉塞位置と光透過孔を開放する開放位置との間で回動される駆動体と、ベース部に固定された一対の第１の電極と、ベース部に固定された一対の第２の電極と、両端部がそれぞれ一対の各第１の電極に固定され中間部が駆動体の取付部に取り付けられると共に第１の電極を介して通電されることにより収縮され駆動体を第１の方向へ回動させるワイヤー状の第１の形状記憶合金部材と、両端部がそれぞれ一対の各第２の電極に固定され中間部が駆動体の取付部に取り付けられると共に第２の電極を介して通電されることにより収縮され駆動体を上記第１の方向と反対の第２の方向へ回動させるワイヤー状の第２の形状記憶合金部材と、駆動体を上記開放位置又は閉塞位置の少なくとも一方の位置にロックするロック手段とを備えたことを特徴とする。
【００１７】
従って、付勢バネを用いてワイヤー状の形状記憶合金部材との釣り合いを保持するようにした場合のように、閉塞位置にあるときと開放位置にあるときでのバネ力の大きな相違が生じることがなく、開放位置及び閉塞位置における釣り合いを保持するための設計が容易であると共に設計の自由度の向上を図ることができる。
【００１８】
また、環境の変化、例えば、温度の変化が生じたときでも、第１の形状記憶合金部材及び第２の形状記憶合金部材が同じ率で伸縮されるため、駆動体の誤動作による回動を防止することができる。
【００１９】
さらに、ワイヤー状の第１の形状記憶合金部材及び第２の形状記憶合金部材を用いているため、例えば、コイルバネ状に形成した形状記憶合金部材を用いた場合に比し、伸縮のスピードが速く、動作の迅速性の向上を図ることができる。
【００２０】
請求項５に記載した発明にあっては、上記ロック手段としてベース部に配置した第１のマグネットと駆動体に配置した第２のマグネットを設けたので、開放位置又は閉塞位置におけるロックを確実に行うことができる。
【００２１】
請求項６に記載した発明にあっては、上記第１の形状記憶合金部材と第２の形状記憶合金部材をベース部の外周縁に沿って配置したので、第１の形状記憶合金部材及び第２の形状記憶合金部材の長さを長くすることが可能であり、第１の形状記憶合金部材及び第２の形状記憶合金部材に通電したときの収縮量を大きくすることができ、駆動体の動作範囲が大きくなり、設計の自由度の向上及び動作の信頼性の向上を図ることができる。
【００２２】
また、第１の形状記憶合金部材及び第２の形状記憶合金部材の内側に光路開閉装置の各機構を配置することができ、この各機構と第１の形状記憶合金部材及び第２の形状記憶合金部材との干渉が回避されると共に第１の形状記憶合金部材及び第２の形状記憶合金部材を配置するためのスペースの有効活用が図られ、電子機器の小型化及び薄型化を図ることができる。
【発明を実施するための最良の形態】
【００２３】
以下に、本発明光路開閉装置及び電子機器の最良の形態を添付図面に従って説明する。尚、以下の最良の形態は、本発明電子機器を携帯電話に適用し、本発明光路開閉装置を携帯電話に設けられた光路開閉装置に適用したものである。
【００２４】
電子機器（携帯電話）１は、例えば、第１のケース体２と第２のケース体３がヒンジ部４を介して折畳自在とされている（図１及び図２参照）。第１のケース体２には表示部２ａ及びスピーカー部２ｂが設けられ、第２のケース体３には操作キー３ａ、３ａ、・・・及びマイク部３ｂが設けられている。
【００２５】
第１のケース体２の内部にはカメラ部５が設けられている。カメラ部５は第１のケース体２の表面に取り付けられたカバーガラス６の内側に設けられている。
【００２６】
カメラ部５は筐体７とこれに支持又は取り付けられた所要の各部とを備え、筐体７はレンズ鏡筒部８とベース部９とから成る（図３及び図４参照）。
【００２７】
レンズ鏡筒部８は略円筒状に形成され、内部に撮像レンズ１０が配置されている。
【００２８】
ベース部９には所要の各部が支持又は取り付けられ、ベース部９と所要の各部とによって光路開閉装置１１が構成されている。
【００２９】
ベース部９はレンズ鏡筒部８の軸方向における一端面に取り付けられ、略矩形の板状に形成された基部１２と、該基部１２に対してレンズ鏡筒部８の反対側に１段高く形成された支持面部１３と、該支持面部１３に対してレンズ鏡筒部８の反対側に１段高く形成された第１の規制突部１４及び第２の規制突部１５とから成る。
【００３０】
基部１２の４隅のうちの３隅には、それぞれ取付孔１２ａ、１２ａ、１２ａが形成されている。基部１２の残りの１隅には、上下に離隔してそれぞれ一対の第１の電極１６、１６と第２の電極１７、１７とが固定されている。
【００３１】
支持面部１３は基部１２の一部を除く部分からレンズ鏡筒部８の反対側に突出され、支持面部１３には光学系の光路となる光透過孔１３ａが形成されている。光透過孔１３ａはレンズ鏡筒部８側にも開口され、光透過孔１３ａに対応した位置に上記撮像レンズ１０が配置されている。支持面部１３にはピン取付孔１３ｂ、１３ｂ、１３ｂと支持孔１３ｃとがそれぞれ形成されている。
【００３２】
第１の規制突部１４と第２の規制突部１５は、それぞれ支持面部１３の光透過孔１３ａを挟んだ略反対側の位置に設けられ、光透過孔１３ａ側の側縁がそれぞれストッパー縁１４ａ、１５ａとして形成されている。
【００３３】
ベース部９の支持面部１３には支持孔１３ｃを介して駆動体１８が回動自在に支持される。駆動体１８は所定の形状を為す板状に形成された主面部１９と該主面部１９から側方へ突出された突部２０とが一体に形成されて成り、主面部１９と突部２０との境界部に挿通孔２１が形成されている。
【００３４】
主面部１９にはＮＤ（Neutral Density）フィルター１９ａが形成されている。ＮＤフィルター１９ａは、ベース部９に形成された光学系の光路となる上記光透過孔１３ａを遮蔽する遮蔽部としての役割を果たし、光透過孔１３ａを遮蔽することにより光量を減少させる機能を有する。ＮＤフィルター１９ａはベース部９の光透過孔１３ａより大きく形成されている。
【００３５】
主面部１９にはカム孔２２が形成され、該カム孔２２には円弧状に形成された案内縁２２ａと第１の突縁２２ｂと第２の突縁２２ｃと第３の突縁２２ｄとが順に形成されている。
【００３６】
突部２０の先端部には挿入取付孔２０ａが形成されている。挿入取付孔２０ａは後述する形状記憶合金部材を取り付けるための取付部としての役割を果たす。
【００３７】
ベース部９の基部１２にはカバー２３が取り付けられる。カバー２３の外端部にはそれぞれピン挿通孔２３ａ、２３ａ、２３ａが形成されている。カバー２３の下端部には挿入孔２３ｂ、２３ｃが左右に離隔して形成されている。
【００３８】
カバー２３は、ピン挿通孔２３ａ、２３ａ、２３ａをそれぞれ挿通された取付ピン２４、２４、２４が、ベース部９のピン取付孔１３ｂ、１３ｂ、１３ｂに挿入されて取り付けられることにより、ベース部９に取り付けられる。
【００３９】
駆動体１８は、カバー２３の挿入孔２３ｂ及び駆動体１８の挿通孔２１を順に挿通された支持ピン２５が、ベース部９の支持孔１３ｃに挿入されて取り付けられることにより、支持ピン２５を中心として支持面部１３上において回動自在に支持される。
【００４０】
駆動体１８は光透過孔１３ａを開放する開放位置とＮＤフィルター１９ａが光透過孔１３ａを閉塞する閉塞位置との間で回動可能とされる。
【００４１】
カバー２３の挿入孔２３ｃには支持軸２６が挿入され、該支持軸２６に回転カム２７が回転自在に支持される。回転カム２７は一方向に稍長い形状に形成され、回転中心を基準として対称な形状及び大きさに形成されている。回転カム２７は駆動体１８のカム孔２２内において回転可能とされ、回転中心を挟んで長手方向における反対側にそれぞれ２つずつの突部が設けられている。回転カム２７の各側の２つの突部の間の部分が、それぞれ第１の係合凹部２７ａ、第２の係合凹部２７ｂとして形成されている。
【００４２】
回転カム２７は駆動体１８を上記開放位置又は閉塞位置の少なくとも一方の位置にロックするロック手段として機能する。尚、以下には、回転カム２７が駆動体１８を閉塞位置にロックするロック手段として機能する例について説明する。
【００４３】
ベース部９には支持プーリー２８、２８、２８が回転可能に支持される。支持プーリー２８は、図５及び図６に示すように、同軸上に軸方向に離隔して径の異なる第１の支持溝２８ａと第２の支持溝２８ｂとを有し、第１の支持溝２８ａが第２の支持溝２８ｂより径が大きくされている。支持プーリー２８の中心部には軸挿入孔２８ｃが形成されている。
【００４４】
支持プーリー２８、２８、２８は、軸挿入孔２８ｃ、２８ｃ、２８ｃにそれぞれ挿入された回転支持軸２９、２９、２９がベース部９の取付孔１２ａ、１２ａ、１２ａに取り付けられることにより、回転支持軸２９、２９、２９を介してベース部９に回転可能とされる。
【００４５】
ベース部９に固定された一方の第１の電極１６には第１の形状記憶合金部材３０の一端部が取り付けられ、第１の形状記憶合金部材３０の中間部が駆動体１８の挿入取付孔２０ａに挿入され折り返されて取り付けられ、第１の形状記憶合金部材３０の他端部が他方の第１の電極１６に取り付けられる（図４参照）。
【００４６】
第１の形状記憶合金部材３０は、例えば、Ｔｉ（チタン）、Ｎｉ（ニッケル）及びＣｕ（銅）から成る３元合金部材、又は、Ｎｉ、Ｔｉの２元合金部材である。第１の形状記憶合金部材３０は一方の第１の電極１６から挿入取付孔２０ａまでの区間が第１の区間３０ａとされ、他方の第１の電極１６から挿入取付孔２０ａまでの区間が第２の区間３０ｂとされる。第１の区間３０ａは支持プーリー２８、２８の第１の支持溝２８ａ、２８ａに巻回されて支持され、第２の区間３０ｂは支持プーリー２８、２８の第２の支持溝２８ｂ、２８ｂに巻回されて支持される。従って、第１の形状記憶合金部材３０はベース部９の外周縁に沿って配置される。
【００４７】
第１の形状記憶合金部材３０には第１の電極１６、１６を介して図示しない駆動電源から通電が行われる。
【００４８】
ベース部９に固定された一方の第２の電極１７には第２の形状記憶合金部材３１の一端部が取り付けられ、第２の形状記憶合金部材３１の中間部が駆動体１８の挿入取付孔２０ａに挿入され折り返されて取り付けられ、第２の形状記憶合金部材３１の他端部が他方の第２の電極１７に取り付けられる（図４参照）。
【００４９】
第２の形状記憶合金部材３１は、第２の形状記憶合金部材３０と同様に、例えば、Ｔｉ（チタン）、Ｎｉ（ニッケル）及びＣｕ（銅）から成る３元合金部材、又は、Ｎｉ、Ｔｉの２元合金部材である。第２の形状記憶合金部材３１は一方の第２の電極１７から挿入取付孔２０ａまでの区間が第１の区間３１ａとされ、他方の第２の電極１７から挿入取付孔２０ａまでの区間が第２の区間３１ｂとされる。第１の区間３１ａは支持プーリー２８の第１の支持溝２８ａに巻回されて支持され、第２の区間３１ｂは支持プーリー２８の第２の支持溝２８ｂに巻回されて支持される。従って、第２の形状記憶合金部材３１はベース部９の外周縁に沿って配置される。
【００５０】
第２の形状記憶合金部材３１には第２の電極１７、１７を介して図示しない駆動電源から通電が行われる。
【００５１】
筐体７のベース部９には第１のマグネット３２が取り付けられ、駆動体１８には第２のマグネット３３が取り付けられている。第１のマグネット３２及び第２のマグネット３３は、例えば、直方体状に形成され、駆動体１８を上記開放位置又は閉塞位置の少なくとも一方の位置にロックするロック手段として機能する。尚、以下には、第１のマグネット３２及び第２のマグネット３３が駆動体１８を開放位置にロックするロック手段として機能する例について説明する。
【００５２】
第１のマグネット３２は、例えば、長手方向が前後方向となるように縦置きの状態でベース部９に配置され、第２のマグネット３３は、例えば、長手方向が上下方向となるように横置きの状態で駆動体１８に配置されている（図７参照）。このように第２のマグネット３３を駆動体１８に横置きの状態で配置することにより、光路開閉装置１１のベース部９の厚み方向における大きさを小さくすることができ、光路開閉装置１１の薄型化を図ることができる。
【００５３】
以下に、各マグネットの配置状態の各例を示す。
【００５４】
図８に示すように、第１のマグネット３２及び第２のマグネット３３をともに縦置きの状態でベース部９又は駆動体１８に配置することができる。このように配置することにより、各マグネット間３２、３３間の吸着面積を大きくして大きな吸着力を確保することができる。
【００５５】
図９に示すように、第１のマグネット３２及び第２のマグネット３３をともに横置きの状態で前後に離隔してベース部９又は駆動体１８に配置することができる。このように配置することにより、各マグネット間３２、３３間の吸着面積を大きくすることができると共に光路開閉装置１１の薄型化を図ることができる。
【００５６】
図１０に示すように、第１のマグネット３２を横置きの状態でベース部９に配置し、第２のマグネット３３を縦置きの状態で駆動体１８に配置することができる。このように配置することにより、光路開閉装置１１の薄型化を図ることができる。
【００５７】
尚、図７乃至図１０に示した何れの配置例においても、第２のマグネット３３を駆動体１８のベース部９と対向する側の面又はその反対側の面の何れの面に配置してもよい。また、図７乃至図１０に示した何れの配置例においても、第１のマグネット３２又は第２のマグネット３３の一部又は全部を、ベース部９又は駆動体１８にの埋め込んだ状態で配置してもよい。
【００５８】
また、上記には、第１のマグネット３２及び第２のマグネット３３によってロック手段を構成した例について説明したが、ロック手段はこのような構成に限られることはなく、例えば、一方がマグネットであり他方が金属等の磁性部材であるような構成とされていてもよい。
【００５９】
以下に、光路開閉装置１１の動作について説明する（図１１乃至図１５参照）。
【００６０】
先ず、第１の形状記憶合金部材３０及び第２の形状記憶合金部材３１に通電が行われていない状態について説明する（図１１参照）。
【００６１】
通電が行われていない状態においては、第１の形状記憶合金部材３０及び第２の形状記憶合金部材３１は収縮されておらず、第１のマグネット３２と第２のマグネット３３とが引き合うことによって駆動体１８が開放位置にロックされている。従って、駆動体１８はベース部９の第２の規制突部１５のストッパー縁１５ａに押し付けられ、該ストッパー縁１５ａによって図１１に示すＲ１方向への回動が規制され、ベース部９に形成された光透過孔１３ａが開放されている。このとき回転カム２７はカム孔２２の案内縁２２ａに沿うように位置されている。
【００６２】
光路開閉装置１１の駆動が開始されると、先ず、第１の形状記憶合金部材３０に通電が行われる（図１５に示すＡ１→Ａ２）。このとき第２の形状記憶合金部材３１には通電されない（図１５に示すＢ１→Ｂ２）。
【００６３】
第１の形状記憶合金部材３０に通電が行われると、第１の形状記憶合金部材３０は収縮され、駆動体１８が図１１に示すＲ２方向へ回動される。駆動体１８がＲ２方向へ回動されると、該駆動体１８がベース部９の第１の規制突部１４のストッパー縁１４ａに押し付けられ、該ストッパー縁１４ａによってＲ２方向への回動が規制される（図１２参照）。従って、駆動体１８は閉塞位置（第１の閉塞位置）に至り、光透過孔１３ａが駆動体１８のＮＤフィルター１９ａによって閉塞される。駆動体１８が第１の閉塞位置に至った状態においては、回転カム２７の第２の係合凹部２７ｂがカム孔２２の第３の突縁２２ｄに係合される。
【００６４】
駆動体１８が第１の閉塞位置に至ると、第１の形状記憶合金部材３０への通電が解除される（図１５に示すＡ２→Ａ３）。このとき第２の形状記憶合金部材３１に通電が行われる（図１５に示すＢ２→Ｂ３）。
【００６５】
第１の形状記憶合金部材３０への通電の解除及び第２の形状記憶合金部材３１への通電により第１の形状記憶合金部材３１が伸張されると共に第２の形状記憶合金部材３１が収縮され、駆動体１８が開放位置へ向けて図１２に示すＲ１方向へ回動される。駆動体１８がＲ１方向へ回動されると、回転カム２７の第１の係合凹部２７ａがカム孔２２の第１の突縁２２ｂに係合され、駆動体１８のＲ１方向への回動が規制され、駆動体１８は第２の閉塞位置に至る（図１３参照）。このときベース部９の光透過孔１３ａは依然としてＮＤフィルター１９ａによって閉塞されており、光学系の光路は閉塞されている。
【００６６】
第２の閉塞位置においては、回転カム２７の第１の係合凹部２７ａがカム孔２２の第１の突縁２２ｂに係合されて駆動体１８がロックされる。
【００６７】
尚、上記には、第１の形状記憶合金部材３０への通電の解除及び第２の形状記憶合金部材３１への通電により駆動体１８を第２の閉塞位置まで回動させる例を示したが、これに代えて、駆動体１８が第１の閉塞位置まで回動された状態において、第１の形状記憶合金部材３０への通電を解除すると共に第２の形状記憶合金部材３１への通電も行わないようにして駆動体１８を第２の閉塞位置まで回動させることが可能である。この場合には、第１の形状記憶合金部材３０への通電を解除することにより該第１の形状記憶合金部材３０が伸張されて駆動体１８が第２の閉塞位置まで回動される。
【００６８】
光透過孔１３ａを閉塞する場合には、第２の閉塞位置において、第１の形状記憶合金部材３０に通電が行われる（図１５に示すＡ３→Ａ４）。このとき第２の形状記憶合金部材３１への通電は解除される（図１５に示すＢ３→Ｂ４）。
【００６９】
第１の形状記憶合金部材３０に通電が行われると共に第２の形状記憶合金部材３１への通電が解除されると、第２の形状記憶合金部材３１が伸張されると共に第１の形状記憶合金部材３０が収縮されて駆動体１８が図１３に示すＲ２方向へ回動される。駆動体１８がＲ２方向へ回動されると、該駆動体１８がベース部９の第１の規制突部１４のストッパー縁１４ａに押し付けられ、該ストッパー縁１４ａによってＲ２方向への回動が規制される（図１４参照）。従って、駆動体１８は再び第１の閉塞位置に至る。駆動体１８が再び第１の閉塞位置に至った状態においては、回転カム２７の外周面にカム孔２２の第２の突縁２２ｃと第３の突縁２２ｄが接触される。このとき回転カム２７の第１の係合凹部２７ａ及び第２の係合凹部２７ｂはカム孔２２の何れの突縁２２ｂ、２２ｃ、２２ｄとも係合されていない。
【００７０】
駆動体１８が第１の閉塞位置に至ると、第１の形状記憶合金部材３０への通電が解除される（図１５に示すＡ４→Ａ１）。このとき第２の形状記憶合金部材３１に通電が行われる（図１５に示すＢ４→Ｂ１）。
【００７１】
第１の形状記憶合金部材３０への通電が解除されると共に第２の形状記憶合金部材３１に通電が行われると、第１の形状記憶合金部材３０が伸張されると共に第２の形状記憶合金部材３１が収縮され、駆動体１８がＲ１方向へ回動され再び開放位置に至る（図１１参照）。駆動体１８が第１の閉塞位置から開放位置に至る途中においては、カム孔２２の第１の突縁２２ｂによって回転カム２７が押圧され、回転カム２７が回転される。従って、回転カム２７は駆動体１８が開放位置から閉塞位置へ向けて回動される前の初期状態に対して１８０°回転され、再び、カム孔２２の案内縁２２ａに沿うように位置される。
【００７２】
駆動体１８が開放位置まで回動された状態においては、再び第１のマグネット３２と第２のマグネット３３とが引き合うことによって駆動体１８がロックされる。
【００７３】
光路開閉装置１１にあっては、駆動体１８の開放位置におけるロックを行うためのロック手段として、第１のマグネット３２及び第２のマグネット３３を用いているため、開放位置におけるロックを確実に行うことができる。
【００７４】
以上に記載した通り、光路開閉装置１１にあっては、ワイヤー状の第１の形状記憶合金部材３０と第２の形状記憶合金部材３１を設けて駆動体１８を回動させているため、従来のように付勢バネを用いた場合のように、閉塞位置にあるときと開放位置にあるときでのバネ力の大きな相違が生じることがなく、開放位置及び閉塞位置における釣り合いを保持するための設計が容易であると共に設計の自由度の向上を図ることができる。
【００７５】
また、環境の変化、例えば、温度の変化が生じたときでも、第１の形状記憶合金部材３０及び第２の形状記憶合金部材３１が同じ率で伸縮されるため、駆動体１８の誤動作による回動を防止することができる。
【００７６】
さらに、ワイヤー状の第１の形状記憶合金部材３０及び第２の形状記憶合金部材３１を用いているため、例えば、コイルバネ状に形成した形状記憶合金部材を用いた場合に比し、伸縮のスピードが速く、動作の迅速性の向上を図ることができる。
【００７７】
さらにまた、第１の形状記憶合金部材３０及び第２の形状記憶合金部材３１がベース部９の外周縁に沿って配置されているため、第１の形状記憶合金部材３０及び第２の形状記憶合金部材３１の長さを長くすることが可能であり、第１の形状記憶合金部材３０及び第２の形状記憶合金部材に通電したときの収縮量を大きくすることができ、駆動体１８の動作範囲が大きくなり、設計の自由度の向上及び動作の信頼性の向上を図ることができる。
【００７８】
加えて、第１の形状記憶合金部材３０及び第２の形状記憶合金部材３１をベース部９の外周縁に沿って配置することにより、第１の形状記憶合金部材３０及び第２の形状記憶合金部材３１の内側に光路開閉装置１１の各機構を配置することができ、この各機構と第１の形状記憶合金部材３０及び第２の形状記憶合金部材３１との干渉が回避されると共に第１の形状記憶合金部材３０及び第２の形状記憶合金部材３１を配置するためのスペースの有効活用が図られ、光路開閉装置１１の小型化及び薄型化を図ることができる。
【００７９】
尚、上記には、第１のマグネット３２及び第２のマグネット３３を用いて駆動体１８を開放位置にロックすると共に回転カム２７を用いて駆動体１８を閉塞位置（第２の閉塞位置）にロックする例を示したが、逆に、第１のマグネット３２及び第２のマグネット３３を用いて駆動体１８を閉塞位置にロックすると共に回転カム２７を用いて駆動体１８を開放位置にロックするようにしてもよい。
【００８０】
また、第１のマグネット３２及び第２のマグネット３３又は回転カム２７によって開放位置又は閉塞位置の一方の位置における駆動体１８のロックを行い、開放位置又は閉塞位置の他方の位置においては、第１の形状記憶合金部材３０と第２の形状記憶合金部材３１との釣り合いにより駆動体１８を当該他方の位置に保持するようにしてもよい。
【００８１】
上記には、本発明電子機器を携帯電話に適用した例を示したが、本発明電子機器の適用範囲は携帯電話に限られることはなく、例えば、スチルカメラ、ビデオカメラ、携帯情報端末、パーソナルコンピュータ、ネットワーク端末やワークステーション、ＰＤＡ（Pasonal Digital Assistance）等の光学系の光路を有する各種の電子機器に適用することができる。
【００８２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８３】
【図１】図２乃至図１５と共に本発明の最良の形態を示すものであり、本図は、本発明を適用した携帯電話を開いた状態で示す斜視図である。
【図２】携帯電話を閉じた状態で示す斜視図である。
【図３】光路開閉装置の分解斜視図である。
【図４】光路開閉装置の拡大斜視図である。
【図５】支持プーリーと回転支持軸を示す拡大斜視図である。
【図６】支持プーリーの拡大断面図である。
【図７】マグネットの配置状態を示す拡大底面図である。
【図８】マグネットの配置状態の別の例を示す拡大底面図である。
【図９】マグネットの配置状態のまた別の例を示す拡大底面図である。
【図１０】マグネットの配置状態のさらに別の例を示す拡大底面図である。
【図１１】図１２乃至図１４と共に光路開閉装置の動作を示すものであり、本図は駆動体が開放位置にある状態を示す拡大正面図である。
【図１２】図１１に引き続き、駆動体が第１の閉塞位置に回動された状態を示す拡大正面図である。
【図１３】図１２に引き続き、駆動体が第２の閉塞位置に回動された状態を示す拡大正面図である。
【図１４】図１３に引き続き、駆動体が再び第１の閉塞位置に回動された状態を示す拡大正面図である。
【図１５】形状記憶合金部材への通電状態を示すタイムチャート図である。
【符号の説明】
【００８４】
１…電子機器、７…筐体、９…ベース部、１１…光路開閉装置、１３ａ…光透過孔、１６…第１の電極、１７…第２の電極、１８…駆動体、１９ａ…ＮＤフィルター（遮蔽部）、２０ａ…挿入取付孔（取付部）、２７…回転カム（ロック手段）、３０…第１の形状記憶合金部材、３１…第２の形状記憶合金部材、３２…第１のマグネット（ロック手段）、３３…第２のマグネット（ロック手段）
【図１】
2005062605.tif 000003
【図２】
2005062605.tif 000004
【図３】
2005062605.tif 000005
【図４】
2005062605.tif 000006
【図５】
2005062605.tif 000007
【図６】
2005062605.tif 000008
【図７】
2005062605.tif 000009
【図８】
2005062605.tif 000010
【図９】
2005062605.tif 000011
【図１０】
2005062605.tif 000012
【図１１】
2005062605.tif 000013
【図１２】
2005062605.tif 000014
【図１３】
2005062605.tif 000015
【図１４】
2005062605.tif 000016
【図１５】
2005062605.tif 000017